(57)【要約】【課題】本発明では、多品種・多銘柄のオーダ入力作業における、（１）オーダ入力作業の簡素化と（２）入力誤りの軽減化を実現し、（３）季節商品・売り出し商品等の販売者側のおすすめ情報の提供を目的としている。【解決手段】上記の課題は、過去に行われた注文内容を記憶する注文履歴記憶部と、今回の注文時と同時期の過去の注文内容を、前記注文履歴記憶部より求め、注文入力データの候補を表示する表示手段を備えることで解決される。【選択図】　　　　　　　　　図１
2004005712.tif 000002
【特許請求の範囲】
【請求項１】
過去に行われた注文内容を該注文が行われた季節と対応付けて記憶する注文履歴記憶部と、
現在の季節を判定し、今回の注文時と同じ季節の過去の注文内容を、前記注文履歴記憶部より求め、注文入力データの候補を表示する表示手段を備えたことを特徴とする注文データ入力システム。
【請求項２】
前記表示手段で表示された内容を選択入力させる選択入力手段を備えたことを特徴する請求項１記載の注文データ入力システム。
【請求項３】
推奨商品を記憶する推奨商品記憶部を備え、
前記表示手段は、前記推奨商品記憶部より推奨商品を注文入力データの候補として表示することを特徴とする請求項１記載の注文データ入力システム。
【請求項４】
コンピュータを動作させて、
過去に行われた注文内容を該注文が行われた季節と対応付けて記憶する注文履歴記憶部と、
現在の季節を判定し、今回の注文時と同じ季節の過去の注文内容を、前記注文履歴記憶部より求め、注文入力データの候補を表示する表示手段として、
機能させるためのプログラムを記憶したコンピュータ読み取り可能な記憶媒体。
【発明の詳細な説明】
【０００１】
【発明の属する技術分野】
本発明は、注文履歴情報ファイルおよび季節情報マスタが管理する注文情報から、想定される注文情報を表示するオーダ登録装置と、それを実現するプログラムを記憶する記憶媒体とに関する。
【０００２】
【従来の技術】
従来の技術では、バーコード入力・ガイドからの選択入力および商品コードの直接入力等があるが、いずれも、多品種・多銘柄になるほど入力・選択作業に時間がかかるという問題があり、（１）入力作業が繁雑、（２）入力の誤りが不可避、さらに（３）販売者側の情報提供ができない等の課題を残している。
【０００３】
【発明が解決しようとする課題】
本発明では、上記のように、多品種・多銘柄になった場合におけるオーダ入力作業の軽減に着眼し、従来の技術で解決できていない、（１）オーダ入力作業の簡素化と（２）入力誤りの軽減化を実現し、（３）季節商品・売り出し商品等の販売者側のおすすめ情報の提供を可能とすることにある。
【０００４】
【課題を解決するための手段】
上記の課題は、過去に行われた注文内容を該注文が行われた季節と対応付けて記憶する注文履歴記憶部と、今回の注文時と同じ季節の過去の注文内容を、前記注文履歴記憶部より求め、注文入力データの候補を表示する表示手段を備えることで解決される。
【０００５】
【発明の実施の形態】
以下、オーダ登録装置を受注センタに適用した実施の形態に従って本発明を詳細に説明する。図１に、この受注センタシステムを実行する本発明の適用されるオーダ登録装置のシステム構成を図示する。
【０００６】
この図に示すオーダ登録装置は、商品マスタに商品情報を登録する商品情報登録プログラム２２１と、商品別のおすすめ情報を登録するおすすめ情報登録プログラム２２２と、季節情報を登録する季節情報登録プログラム２２３と、注文主から電話やＦＡＸで届く注文情報を登録するオーダ登録プログラム２２０と、商品情報登録プログラム２２１およびおすすめ情報登録プログラム２２２の商品情報を格納する商品マスタ２１１と、季節情報登録プログラム２２３の季節情報を格納する季節情報マスタ２１２と、オーダ登録プログラム２２０の注文情報を格納する注文情報履歴ファイル２１０とで構成されている。
【０００７】
ここで、図中の１００はオーダ登録装置２００が備える入出力装置、１０１は入出力装置が備えるキーボードである。オーダ登録装置２００は、事前に登録しておく商品マスタ２１１と季節情報マスタ２１２を参照しつつオーダ登録処理を実行するものであって、図１に示すようにプログラム記憶媒体からインストールされる商品情報登録プログラム２２１と、プログラム記憶媒体からインストールされるおすすめ情報登録プログラム２２２と、プログラム記憶媒体からインストールされる季節情報登録プログラム２２３と、プログラム記憶媒体からインストールされるオーダ登録プログラム２２０と、商品マスタ２１１と、季節情報マスタ２１２と、注文情報履歴ファイル２１０とを備える。
【０００８】
この注文履歴情報ファイル２１０は、図２に示すように季節コード毎の注文主別の注文情報を集計して管理することで、オーダ入力時の注文候補となる前年同時期の注文情報を管理するものである。一方、商品マスタ２１１は、図３に示すように、商品コードに対応する商品名称と販売量の多い季節とおすすめ情報を管理しており、商品コードを決定することで補足情報を取り出せるようにするものである。
【０００９】
さらに、季節情報マスタ２１２は、図４に示すように、季節キーに対応する期間を管理しており、注文情報履歴ファイル２１０と商品マスタ２１１で使用している季節キーに対応している。図６に、オーダ登録プログラム２２０の実行する処理フローの実施例を図示する。つぎに、この処理フローに従って、本発明について詳細に説明する。
【００１０】
オーダ登録プログラム２２０は、起動されると図６の処理フローに示すようにまず最初に、ＳＴ０１で季節情報マスタをすべて読み込み、ＳＴ０２でオーダ登録プログラム２２０が起動された季節を判定し季節キーに設定する。続いて、ＳＴ０３で入出力装置１００から注文主コードと届け先コードを読み込む。
【００１１】
続いて、ＳＴ０４でＳＴ０２で設定した季節キーとＳＴ０３で読み込んだ注文主コードおよび届け先コードを検索キーにして、注文履歴情報ファイルを読み込み前年同時期の注文履歴さらに、季節キーに’０’をセットし、ＳＴ０３で読み込んだ注文主コードおよび届け先コードを検索キーにして、注文履歴情報ファイルを読み込み前回の注文内容とする。
【００１２】
続いて、ＳＴ０４で読み込んだ前年同時期の注文履歴と前回の注文内容をＳＴ０５で、図５の注文入力ウィンドウを入出力装置１００に表示する。続いて、ＳＴ０５で表示した前年同時期の注文履歴と前回の注文内容からＳＴ０６で商品コードを検索キーにして商品マスタを読み込み、ＳＴ０７でおすすめ情報があるかどうかを判定し、ＳＴ０８でおすすめ情報がある場合は図５の商品情報ウィンドウを入出力装置１００に表示する。
【００１３】
続いて、ＳＴ０９で現在の季節を検索キーにして商品マスタを読み込み、ＳＴ１０で、ＳＴ０５で表示していない商品があるかどうかを判定し、表示していない場合は、ＳＴ１１で図５の取り扱い商品ウインドウを入出力装置１００に表示する。さらに、ＳＴ１２でおすすめ情報があるかどうかを判定し、おすすめ情報がある場合は、ＳＴ１３で図５の商品情報ウィンドウを入出力装置１００に表示する。
【００１４】
このようにして、前年同時期の注文履歴および前回の注文内容から、注文内容の予測表示を実現する。実際の注文の入力について、図５を用いて説明する。すでに表示されている注文入力ウインドにすでに表示されている商品については、注文する場合には、数量を入力し、注文しない場合には、その商品の欄にカーソルを位置付けて削除ボタンを押す。
【００１５】
また、商品情報ウインドウまたは取り扱い商品ウインドウに表示されている商品を注文する場合は、その商品の欄にカーソルを位置付けて注文ボタンを押す。その注文の指示をうけて、該当する商品コード、商品名を注文入力ウインドウの空欄に書き込む。そして、カーソルを指定された商品の数量の入力欄に移す。このようにすることで、商品を選択だけでなく数量の入力も素早く行うことができる。
【００１６】
図示実施例について本発明を詳細に説明したが、本発明はこれに限定されるものではない。例えば、実施例では受注センタシステムへの適用例に従って説明したが、本発明はその適用が受注センタシステムに限られるものではない。また、実施例では、季節情報を四季に合わせて設定しているが、季節ではなく特定の期間に置き換える等、類似するものであっても良い。
【００１７】
【発明の効果】
以上説明したように、本発明では、注文主別（出荷先別）に、前年同時期の注文物に基づいて選択入力させる。また、前回注文時に入力された商品を併せて表示し選択入力する。単に前回の注文履歴に基づいて選択させるだけでは、季節の変わり目に効果がでないので、前年同時期の注文物や新商品・キャンペーン商品から選択入力させることにより、、オーダ入力時の入力ミスの削減が可能となり、注文ミスを減らすことによる無駄な在庫の削減と、販売者側の適切な情報提供・品揃えによる機会損失の削減が実現する。
【図面の簡単な説明】
【図１】本発明が適用されるオーダ入力システムのシステム構成図である。
【図２】注文履歴情報ファイルの説明図である。
【図３】商品マスタの説明図である。
【図４】季節情報マスタの説明図である。
【図５】オーダ入力時の表示内容の例である。
【図６】オーダ登録プログラムが実行する処理フローの一実施例（その１）である。
【図７】オーダ登録プログラムが実行する処理フローの一実施例（その２）である。
【符号の説明】
１００　入出力装置
１０１　キーボード
２００　オーダ登録装置
２１０　注文履歴情報ファイル
２１１　商品マスタ
２１２　季節情報マスタ
２２０　オーダ登録プログラム
２２１　商品情報登録プログラム
２２２　おすすめ情報登録プログラム
２２３　季節情報登録プログラム
【図１】
2004005712.tif 000003
【図２】
2004005712.tif 000004
【図３】
2004005712.tif 000005
【図４】
2004005712.tif 000006
【図５】
2004005712.tif 000007
【図６】
2004005712.tif 000008
【図７】
2004005712.tif 000009